(57)【要約】      （修正有）【課題】容易かつ確実に開封することができるかつ消火剤を周囲に飛散させることなく消火器から消火剤を排出させることができる投てき型の消火器を提供する。【解決手段】開閉手段を備えずに構成される投てき型の消火器１００であって、消火剤を封入するためのアンプル１と、アンプル１に穴を開けるためのピン２と、を有し、アンプル１は上部の表面に円形の凹部１０を備え、ピン２が凹部１０に先端側から挿入されかつ凹部１０の底面に向けて押し込まれることにより、ピン２の先端部が底面に穴を開けて、アンプル１に消火剤の排出口を形成可能とする。【選択図】図１
2018130417.tif 000002
【特許請求の範囲】
【請求項１】
開閉手段を備えずに構成される投てき型の消火器であって、
消火剤を封入するためのアンプルと、前記アンプルに穴を開けるためのピンと、を有し、
前記アンプルは、上部の表面に円形の凹部を備え、
前記ピンが前記凹部に先端側から挿入されかつ前記凹部の底面に向けて押し込まれることにより、前記ピンの先端部が前記底面に穴を開けて、前記アンプルに前記消火剤の排出口を形成可能とすることを特徴とする投てき型の消火器。
【請求項２】
前記ピンは、
先端が尖った針と押圧するスペースを設けた部分を有する第１パーツと、
前記針を覆い隠すための台形状を有する形状の第２パーツと、を有し、
前記第２パーツを押し込むことで前記台形状の部分の表面が前記凹部に徐々に押圧され、
その後前記第２パーツが固定された状態から前記第２パーツから前記針が飛び出すことを特徴とするプッシュ式のピンである、
請求項１記載の投てき型の消火器。
【発明の詳細な説明】
【技術分野】
【０００１】
本発明は、穴を開けるためのピンを有する投てき型の消火器に関する。
【背景技術】
【０００２】
消火器には、消火剤を火元に向けて噴射させるものや、人が火元に投げ込んで使用されるものなどがある。主に人が火元に投げ込んで使用される投てき型の消火器としては、手投げ可能な大きさであって消火剤を密封する容器の構成が知られている（例えば特許文献１参照）。
【０００３】
一般に、消火器は、栓を抜いて、レバーを操作して使用するので、実際の火災時、パニックとなり、上手に、消火できないことが多い。そのため、台所等での初期火災の消火にあっては、火元に投げるだけの投てき型の消火器は、便利である。この投てき型の消火器は、火災が起きる可能性のある近所に設置しておくのが一般的である。そのため、デザインにも趣向を凝らす一方で、子供等が誤飲するということもあった。そこで、飲料水と誤認しないように、キャップ等の開閉手段をもたない投てき型の消火器がある。この種の消火器は、利便性から、例えば、家庭の庭での花火の消火としても利用できる。また、経年劣化の問題もあり、一定の期間経過後に、廃棄する必要もある。
【先行技術文献】
【特許文献】
【０００４】
【特許文献１】特許第３０８１５３１号公報
【発明の概要】
【発明が解決しようとする課題】
【０００５】
投てき型の消火器は、上述したように経年劣化の問題から消費期限が区切られているため、未使用の状態で廃棄される場合が多い。投てき型の消火器を未使用状態で廃棄する際には、内部に封入された消火剤の抜き取りが必要となる場合がある。ところが、投てき型の消火器は、上述したように例えば装脱自在なキャップなどの開閉手段が設けられない構造が採用されることが多く、このような構造のものでは、消火剤の抜き取りが容易ではないといった問題がある。もっとも、投てき型の消火器を投てきするなどして消火器に衝撃を加えて消火器を破裂させることにより消火剤を抜くことも可能であるが、この場合、消火剤を周囲に拡散するように飛散させてしまうおそれがある。
【０００６】
本発明は、上述した問題点に鑑みてなされたものであり、表面にキャップなどの開閉手段が設けられずに構成された投てき型の消火器であっても容易かつ確実に開封することができるとともに、消火剤を周囲に飛散させることなく消火器から消火剤を排出させることができる投てき型の消火器を提供することを目的とする。
【課題を解決するための手段】
【０００７】
本発明は、開閉手段を備えずに構成される投てき型の消火器であって、消火剤を封入するためのアンプルと、アンプルに穴を開けるためのピンと、を有し、アンプルは、上部の表面に円形の凹部を備え、ピンが凹部に先端側から挿入されかつ凹部の底面に向けて押し込まれることにより、ピンの先端部が底面に穴を開けて、アンプルに消火剤の排出口を形成可能とする。
【０００８】
また、ピンは、先端が尖った針と押圧するスペースを設けた部分を有する第１パーツと、針を覆い隠すための台形状を有する形状の第２パーツと、を有し、第２パーツを押し込むことで台形状部分の形状が凹部に徐々に押圧され、その後第２パーツが固定された状態から第２パーツから針が飛び出すことを特徴とするプッシュ式の差し込み用のピンであってもよい。
【発明の効果】
【０００９】
本発明によれば、ピンをアンプルの凹部の底面に向けて押し込むことで容易かつ確実にアンプルに消火剤の排出口を形成することができる。これにより、未使用の投てき型の消火器から消火剤を容易に抜き取って消火器を廃棄することができる。また、排出口は凹部の側面に囲まれており、消火剤の排出方向が側面により規制されるので、消火剤を排出させる際に消火剤が広範囲に飛散することを抑制することができる。また、本発明の消火器によれば、アンプルに排出口を形成して、排出口を介して消火剤を適量取り出しておき、これを火元にかけたり、消火剤を排出口から排出させながら消火剤を火元にかけたりして使用することも可能となり、例えば、家庭の庭先で花火をしたときの消火の際など、火事以外の場面において簡単かつ安全に消火したいときなどでも使用することができる。
【００１０】
また、ピンが、先端が尖った針と押圧するスペースを設けた部分を有する第１パーツと、針を覆い隠すための台形状を有する形状の第２パーツとを有するとともに、第２パーツを押し込むことで台形状の部分の表面が凹部に徐々に押圧され、その後第２パーツが固定された状態から第２パーツから針が飛び出すプッシュ式のものでは、針は、第２パーツの内部に格納された状態となっており、アンプルに穴を開ける瞬間に第２パーツから先端方向に飛び出る構造となっている。このように、アンプルに穴が開くまでの間、ピンは、針が内部に格納されている状態であるため、安全である。
【図面の簡単な説明】
【００１１】
【図１】実施形態に係る消火器の一例を示す概略斜視図である。
【図２】図１の消火器のアンプルを示し、（ａ）は平面図、（ｂ）は側面図である。
【図３】図２のアンプルを示し、（ａ）は図２（ｂ）のＡ−Ａ線に沿った断面図、（ｂ）は（ａ）の要部拡大図である。
【図４】図１の消火器のピンを構成するパーツを示し、（ａ）は底面図、（ｂ）は側面図である。
【図５】図１の消火器のピンを構成するパーツを示し、（ａ）は底面図、（ｂ）は（ａ）のＢ−Ｂ線に沿った断面図である。
【図６】ピンを構成するパーツの組み立て方の一例を示す図である。
【図７】ピンを用いた穴開け手順の一例を示す図である。
【図８】ピンを用いた穴開け手順の一例を示す図である。
【図９】ピンを用いた穴開け手順の一例を示す図である。
【図１０】消火器から消火剤が排出される状態を示す要部断面図である。
【発明を実施するための形態】
【００１２】
以下、本発明の実施形態について図面を参照しながら説明する。ただし、本発明の技術的範囲は以下に説明する実施形態に限定されるものではない。また、図面においては、実施形態を説明するため、一部分を大きくまたは強調して記載するなど適宜縮尺を変更して表現した部分を含んでいる。なお、以下に説明する各部材の上下方向については、各部材が図１に示す状態で配置された場合の上下方向と同一方向である。
【００１３】
図１は、実施形態に係る消火器１００の一例を示す概略斜視図である。消火器１００は、投てき型の消火器であり、図１に示すように、アンプル１とピン２とを有している。アンプル１の上部の表面には、下方に凹んだ形状の凹部１０が設けられている。なお、図１では、ピン２は、２つのパーツ２０，３０に分解された状態で表されている。
【００１４】
図２は、アンプル１を示し、（ａ）は平面図、（ｂ）は側面図である。図３は、アンプル１を示し、（ａ）は図２（ｂ）のＡ−Ａ線に沿った断面図であり、（ｂ）は（ａ）の要部拡大図である。図３（ｂ）では、図３（ａ）に示されたアンプル１の上方部分を拡大して示している。図２及び図３に示すように、アンプル１は、容器本体１１とフタ１２とを有している。容器本体１１とフタ１２とにより、後述する内部空間１３が規定される。
【００１５】
容器本体１１は、消火剤Ｅ（図３（ａ）参照）を収容可能な容器の構成である。容器本体１１は、人が投てき可能な形状かつ大きさに形成される。容器本体１１は、例えばボトル状の構成であり、底部１１ａ、胴部１１ｂ、天井部１１ｃ、及び円筒部１１ｄを有している。
【００１６】
底部１１ａは、容器本体１１の下部に配置され、円板状に形成されている。胴部１１ｂは、底部１１ａの端部から上方に向けて延びるように形成されている。天井部１１ｃは、胴部１１ｂの上端から内側やや上方に向けて円筒部１１ｄの下端まで延在するように設けられている。円筒部１１ｄは、容器本体１１の上部に配置されている。円筒部１１ｄは、アンプル１を上方から見た際に、胴部１１ｂの中心部分であるとともに天井部１１ｃの中央部分の位置に配置して設けられている。円筒部１１ｄは、天井部１１ｃの上端から上方に延びる円筒形状となっている。円筒部１１ｄの開口１１Ｂは、消火剤Ｅを容器本体１１に注入する際の注入口である。円筒部１１ｄの上端部の表面は、フタ１２に接合される接合面１１Ａを有している。容器本体１１は、ほぼ透明であって衝撃破損性を備える樹脂製である。
【００１７】
なお、容器本体１１は、上記構成に限定されない。容器本体１１は、例えば、上方から見た際に矩形状となる構成であってもよいし、ガラス製やセラミック製、有色のものなどであってもよい。また、円筒部１１ｄは、例えば、アンプル１の上方から見た際に胴部１１ｂの中心部分から周方向にずれた位置に配置されてもよい。
【００１８】
フタ１２は、注入口（円筒部１１ｄの開口）１１Ｂを閉じるように設けられている。フタ１２は、フタ底部１２ａと、フタ側部１２ｂと、鍔部１２ｃとを有している。フタ底部１２ａは、円筒部１１ｄの内部に収容されるように配置されており、上方から見て円筒部１１ｄの内周面１１Ｃよりも若干小さい円形の板状に形成されている。フタ側部１２ｂは、フタ底部１２ａの端部から円筒部１１ｄの上端まで円筒部１１ｄの内周面１１Ｃに沿って上方に延びるように形成されている。円筒部１１ｄの内周面１１Ｃとフタ側部１２ｂとは、互いに密着した状態で配置されているが、互いの間に若干の隙間が形成されるように配置されてもよい。鍔部１２ｃは、フタ側部１２ｂの上端から外側に向けて突出するように形成されている。鍔部１２ｃの下側面１２Ｄは、円筒部１１ｄの接合面１１Ａと接合されている。
【００１９】
このように、フタ１２は、上方から見ると円形状に形成されている。また、フタ１２の上側表面１２Ａの中央部分には、下方に凹んだ状態の凹部１０が形成されている。凹部１０は、ピン２を差し込み可能に形成される。フタ１２は、注入口１１Ｂを閉じた際に消火剤Ｅを封入した状態を維持する強度を備えているとともに、ピン２の先端部２３（図４（ｂ）参照）に押圧された際にフタ底部１２ａ（凹部１０の底面１０ａ）が破断可能に形成されている。フタ１２は、ほぼ透明の樹脂製フィルムである。
【００２０】
なお、フタ１２は、上記構成に限定されない。フタ１２は、例えば、上方から見た際に多角形状であってもよいし、有色のものであってもよいし、フタ底部１２ａが湾曲した形状や下方が尖った形状のものなどであってもよい。
【００２１】
図３（ａ）に示すように、アンプル１は、消火剤Ｅが封入可能な内部空間１３を有している。内部空間１３に封入される消火剤Ｅとしては、有色の液体状の消火用薬剤が用いられ、例えば、浸潤剤と水との混合物が用いられる。消火剤Ｅは、内部空間１３において若干の空間を残すようにして封入されている。このため、アンプル１を水平面に載置した際に、凹部１０の真下には、消火剤Ｅが充填されない空の部分である空隙部分５０が形成される。なお、消火剤Ｅは、上記構成に限定されず、例えば、無色透明のものや、紛体状やゲル状のものなどであってもよいし、内部空間１３に隙間なく充填されてもよい。
【００２２】
アンプル１は、例えば装脱自在なキャップなどの開閉手段を有しない構造となっている。すなわち、アンプル１には、内部空間１３とアンプル１の外部とを連通自在とする開閉手段は設けられていない。このため、アンプル１は、ユーザーにより安易に開封されない構造となっている。
【００２３】
上記のとおり構成されたアンプル１は、まず、容器本体１１に注入口１１Ｂを介して消火剤Ｅが注入され、次いで、円筒部１１ｄに対してフタ１２がフタ底部１２ａ側から挿入され、最後に、鍔部１２ｃの下側面１２Ｄと容器本体１１の接合面１１Ａとが接合されることにより注入口１１Ｂが塞がれる、といった工程により形成される。ここで、下側面１２Ｄと接合面１１Ａとの接合は、例えば、接着剤を介した接着や、表面を加熱して溶かした状態で互いを押し付ける溶着などにより行われる。
【００２４】
アンプル１は、主として、火災の際に人が火元に投てきして使用される。アンプル１は、火元に投てきされると、火元部分との衝突による衝撃や火元の熱などにより破損した状態となり、消火剤Ｅを散布する。
【００２５】
なお、アンプル１は、上記した構成に限定されず、例えば、フタ１２を備えない構成であってもよい。この構成のアンプル１においては、容器本体１１の上部に凹部１０が設けられる。このようにフタ１２を有さない構成のアンプル１は、例えば、予め上部の表面に凹部１０が形成されかつ消火剤Ｅの注入用口が設けられた容器が用意され、次いで、この容器が傾けられるなどして注入用口が上方に配置された状態で、消火剤Ｅが注入用口から容器内に注入され、最後に、注入用口の端部どうしが溶着されて注入用口が塞がれる、といった工程により形成される。
【００２６】
ピン２は、アンプル１に穴４０（図９参照）を開けるためのものである。ピン２によりアンプル１に形成される穴４０は、アンプル１から消火剤Ｅを排出可能に形成される。ピン２は、差し込み用ピンの構成であり、アンプル１の凹部１０に差し込まれて使用される。ピン２は、アンプル１が投てきされることにより使用された場合には不要となるが、アンプル１から消火剤Ｅを抜き取る場合に使用される。図１に戻り、ピン２は、第１パーツ２０と第２パーツ３０とを有している。第２パーツ３０は、第１パーツ２０が挿入される挿入孔３１が設けられている。図１では、第１パーツ２０及び第２パーツ３０は、互いに分離した状態で表されているが、ピン２は、第１パーツ２０及び第２パーツ３０が互いに一体的に組み合わされた状態で使用される。
【００２７】
図４は、ピン２を構成する第１パーツ２０を示し、（ａ）は底面図、（ｂ）は側面図である。第１パーツ２０は、図４に示すように、上部に配置された基端部２１と、本体部２２と、下部に配置された先端部２３と、を有している。
【００２８】
基端部２１は、凹部１０に先端部（下側部分）２３から差し込まれたピン２を、さらに先端方向（下方向）に向けて押し込む際にユーザーが押圧可能に形成されている。基端部２１の基端側（上側）の表面は、指などで先端方向（下方向）に押圧可能なスペース（領域）を含む押圧面２１Ａとなっている。また、基端部２１は、第１パーツ２０が先端部２３から第２パーツ３０の挿入孔３１に挿入されかつ相対的に挿入孔３１の下方へ向けて進行した際に、第２パーツ３０の上面３０Ｕに当接するストッパとして機能する（図５（ｂ）参照）。このため、基端部２１は、挿入孔３１に第１パーツ２０が挿入された状態において、挿入方向から見た際に挿入孔３１の領域を一部に含むように形成されている。
【００２９】
本体部２２は、基端部２１の先端側（下側）の表面の一部から先端方向（下方）に延びるように形成されている。本体部２２の上下方向に対して直交する方向（以下、単に「直交方向」という。）に沿った断面の形状は、互いに対称的な２つの円弧部２２ａと互いに平行な２本の直線部２２ｂとを有しかつ外側に張り出した状態の円弧部２２ａが直線部２２ｂの端部どうしを接続してなる形状となっている。本体部２２は、挿入孔３１に挿入可能に形成されている。本体部２２の側面には、溝部２２Ａが形成されている。溝部２２Ａは、例えば、本体部２２の下端部分において側部を一周するように形成されている。溝部２２Ａは、後述する係止片３１Ａ（図５参照）が入り込むように形成されている。なお、溝部２２Ａの係止片３１Ａとの配置関係については後述する。
【００３０】
先端部２３は、第１パーツ２０の下部に形成されている。先端部２３は、第２パーツ３０の挿入孔３１に挿入可能に形成されている。先端部２３は、先端２３ａが尖った形状の一本の針から構成されている。先端部（針）２３は、頂点を先端方向（下方）に向けた状態の円錐形状となっている。
【００３１】
図５は、ピン２を構成する第２パーツ３０を示し、（ａ）は底面図、（ｂ）は（ａ）のＢ−Ｂ線に沿った断面図である。図５に示すように、挿入孔３１は、第２パーツ３０の内部において上下方向に平行な内壁面３１ａを有し、第２パーツ３０を上下方向に貫通している。上下方向において、挿入孔３１の長さＬは、第１パーツ２０の本体部２２の長さＬ１と先端部２３の長さＬ２との合計長さＬ３（図４（ｂ）参照）よりも短く設定されている。このため、第１パーツ２０は、挿入孔３１に挿入され、さらに挿入孔３１の内部に押し込まれて、基端部２１がストッパとして第２パーツ３０の上面３０Ｕに当接した際、先端部２３が第２パーツ３０の下端部（先端側の端部）３０Ｄから露出した状態となる。なお、本実施形態では、上下方向において、挿入孔３１の長さＬは本体部２２の長さＬ１よりも長く設定されているが、挿入孔３１の長さＬは、本体部２２の長さＬ１と同一の長さに設定されてもよい。このように挿入孔３１の長さＬと本体部２２の長さＬ１とが同一に設定される場合、基端部２１が挿入孔３１に当接するまで第１パーツ２０を挿入孔３１に押し込まれた際、先端部２３は全体が挿入孔３１から露出した状態となる。
【００３２】
挿入孔３１は、上下方向から見た際の形状は、本体部２２と同一形状であり、互いに対称的な２つの円弧部３１ｂと互いに平行な２本の直線部３１ｃとを有しかつ外側に張り出した状態の円弧部３１ｂが直線部３１ｃの端部どうしを接続してなる形状となっている。また、挿入孔３１は、上下方向から見て、本体部２２よりも若干大きく形成されている。このため、挿入孔３１は、第１パーツ２０が相対的に所定の角度で上下方向に嵌め込まれるようになっている。また、挿入孔３１は、第１パーツ２０が挿入されると、第１パーツ２０の相対的な回転と進行方向を規制する。この結果、第１パーツ２０は、挿入孔３１に挿入された状態では、先端部２３を先端方向（下方）に向けた状態で相対的な上下方向の進退の動きのみが許容される。
【００３３】
第２パーツ３０は、凹部１０に対して上方より先端側（下端側）から嵌め込み可能に形成されており、凹部１０に対応する形状を有している。また、第２パーツ３０は、凹部１０に嵌めた込まれた際に、挿入孔３１の深さ方向が上下方向と平行となる形状に形成されている。このため、第２パーツ３０が凹部１０に嵌め込まれることにより、挿入孔３１の深さ方向が上下方向と平行となるので、挿入孔３１の内部を進行する第１パーツ２０は、先端部２３を凹部１０の底面１０ａ（図７参照）に向けた状態で第１パーツ２０を底面１０ａに向けて進行させることが可能となっている。
【００３４】
第２パーツ３０は、上下方向から見た際に、互いに対称的な２つの円弧部３０ａと互いに平行な２本の直線部３０ｂとを有しかつ外側に張り出した状態の円弧部３０ａが直線部３０ｂの端部どうしを接続してなる形状となっている。また、第２パーツ３０は、直交方向から見た際にほぼ台形形状となっており、直交方向に沿った断面の外形の大きさが下端側（先端側）から上端側（基端側）にかけて大きくなるように形成されたテーパ部分３０Ａを有している。第２パーツ３０の円弧部３０ａの表面（台形形状の部分の表面）はテーパ面３０Ｂを有している。
【００３５】
円弧部３０ａの表面は、第２パーツ３０が凹部１０に挿入された際に、凹部１０の表面と当接するように形成されている。円弧部３０ａの表面の曲率は、凹部１０の側面１０ｂの曲率とほぼ同一に設定されている。第２パーツ３０は、凹部１０に挿入されると、円弧部３０ａが凹部１０に当接して凹部１０に嵌め込まれた状態となる。
【００３６】
挿入孔３１の内部には、係止片３１Ａが設けられている。係止片３１Ａは、挿入孔３１の内壁面３１ａから突出する突起である。係止片３１Ａは、第１パーツ２０の溝部２２Ａに入り込むような形状かつ大きさに形成されている。係止片３１Ａは、例えば、挿入孔３１の上端部の４つの角部のそれぞれに設けられている。
【００３７】
係止片３１Ａと溝部２２Ａとは、それぞれ内壁面３１ａと本体部２２とにおいて、第１パーツ２０の先端部２３が挿入孔３１の内部に格納された状態で、互いが係止される位置に設けられている。これにより、第１パーツ２０が挿入孔３１に差し込まれた際に係止片３１Ａが溝部２２Ａに入り込んで係止片３１Ａと溝部２２Ａとが互いに係止されると、第１パーツ２０は、直交方向から見た際に先端部２３が第２パーツ３０よって覆い隠された状態（先端部２３が挿入孔３１の内部に格納された状態）で、第２パーツ３０に対して相対的に固定される。このような係止片３１Ａ及び溝部２２Ａの構成は、第１パーツ２０と第２パーツ３０とを所定の相対的な位置関係で固定させるための固定手段の一例である。このような固定手段としては、上記構成の他に、例えば、係止片３１Ａと溝部２２Ａとを逆に配置して、内壁面３１ａに溝部２２Ａが形成されかつ本体部２２に係止片３１Ａが形成された構成などがある。
【００３８】
第１パーツ２０及び第２パーツ３０は、樹脂製であり、それぞれ一体形成されている。ピン２は、各パーツ２０，３０が樹脂製であるため軽量となっている。
【００３９】
ピン２は、第１パーツ２０と第２パーツ３０とが用意されて、これらが組み立てられることにより形成される。このピン２の組み立て方について、図６を用いて説明する。図６は、ピン２の組み立て方の一例を示す図である。なお、図６では、２つのパーツについて、それぞれを区別して見やすくするために、第１パーツ２０を側面図、第２パーツ３０を断面図の状態でそれぞれ表している。図６（ａ）に示すように、まず、第１パーツ２０は、第２パーツ３０の上方から挿入孔３１へ挿入される。この際、第１パーツ２０の先端部２３が、挿入孔３１の上端側から挿入される。次いで、先端部２３が挿入孔３１に挿入された状態で、第１パーツ２０は、挿入孔３１に対して相対的に挿入方向（図６（ａ）の矢印の方向）に向けて軽く押し込まれる。これにより、図（ｂ）に示すように、係止片３１Ａが溝部２２Ａに入り込んで、この状態で第１パーツ２０と第２パーツ３０とが互いに相対的に固定される。このようにしてパーツ２０，３０からピン２が組み立てられる。
【００４０】
このように組み立てられたピン２において、第１パーツ２０の先端部２３は、第２パーツ３０に格納されている。ただし、第１パーツ２０が第２パーツに対して相対的に下方に向けて押し込まれると、係止片３１Ａが溝部２２Ａから離脱して互いの係止が解除され、先端部２３が、第２パーツの下方に向けて相対的に進行して第２パーツ３０の下端部３０Ｄから飛び出るようになっている（図８（ｃ）参照）。このように、ピン２は、第１パーツ２０を第２パーツに対して相対的に押し込むことで先端部２３が飛び出る構成のプッシュ式のピンとなっている。
【００４１】
なお、ピン２は上記した構成に限定されない。ピン２は、例えば、第２パーツ３０を有さない構成であってもよい。この場合、ピン２は、第１パーツ２０のみから構成されてもよい。ピン２が第１パーツ２０のみから構成される場合、ピン２が凹部１０に上下方向に対して傾斜する方向に挿入された場合であっても、凹部１０の側面１０ｂに先端部２３が当接すると、先端部２３は側面１０ｂにガイドされて底面１０ａに向けて進行する。また、ピン２が第２パーツ３０を有さない構成の場合においては、ピン２の側部に、テーパ面３０Ｂと同様の形状のテーパ状面が設けられてもよい。この場合、テーパ状面は、第１パーツ２０の側部に設けられてもよい。このようにピン２の側部にテーパ状面が形成される場合、ピン２のテーパ状面が凹部１０に嵌め込まれることにより、ピン２は、直交方向において凹部１０に対する相対的な位置が固定された状態となる。これにより、先端部２３を凹部１０の底面１０ａに向けた状態でピン２を底面１０ａに向けて進行させることが可能となる。さらに、先端部２３は一本の円錐形状の針の構成であるが、例えば、複数本の針の構成や、刃の構成、細長い棒の構成などであってもよい。
【００４２】
次に、ユーザーがピン２を用いてアンプル１に穴４０（図９参照）を開ける際の手順の一例について、図７（ａ）〜図９（ｄ）を用いて説明する。図７（ａ）〜図９（ｄ）は、ピン２を用いてアンプル１に穴４０を形成する手順の一例を示す図である。なお、図７及び図８では、アンプル１とピン２について、それぞれを区別して見やすくするために、アンプル１を断面図、ピン２を側面図でそれぞれ表している。また、図９では、アンプル１を断面図で表している。
【００４３】
まず、ユーザーは、アンプル１を水平面に載置させて、図７（ａ）に示すように、凹部１０にピン２を差し込む。この際、ピン２は、アンプル１の上方から下方へ向けて先端部２３側から凹部１０に差し込まれる。この際、ピン２の側面はテーパ面３０Ｂを有しているので、ユーザーはピン２を凹部１０に容易かつ確実に差し込むことができる。
【００４４】
次いで、ユーザーは、図８（ｂ）に示すように、基端部２１の押圧面２１Ａを先端側へ向けた方向（図８（ｂ）の矢印の方向）に押圧し、ピン２を凹部１０の底面１０ａに向けて徐々に押し込む。すると、凹部１０にテーパ部分３０Ａが徐々に押し込まれていき、テーパ面３０Ｂが凹部１０と当接して、ピン２は凹部１０に嵌め込まれた状態となる。このようにして凹部１０に嵌め込まれたピン２は、直交方向において凹部１０に対する相対的な位置が固定された状態となっている。また、このようにして凹部１０に嵌め込まれた状態のピン２の第２パーツ３０は、上下方向において凹部１０に対する相対的な位置が固定された状態となっているとともに、挿入孔３１の深さ方向が上下方向に対して平行となるように配置された状態となっている。
【００４５】
ユーザーは、ピン２を凹部１０に嵌め込んだ後、さらに押圧面２１Ａを先端側（下側）へ向けて押圧する。すると、溝部２２Ａから係止片３１Ａが離脱して、溝部２２Ａと係止片３１Ａとの互いの係止が解除される。この係止が解除されることにより、本体部２２は挿入孔３１の内部を相対的に下方に進行する。これにより、第１パーツ２０は、第２パーツ３０及び凹部１０対して相対的に下方に移動し、先端部２３を凹部１０の底面１０ａに向けた状態で底面１０ａに向けて進行する。この際、第１パーツ２０の第２パーツ３０に対する相対的な進行方向は、本体部２２が内壁面３１ａに沿って動くことにより規制される。そして、図８（ｃ）に示すように、先端部２３は、第２パーツ３０の下端部３０Ｄから下方に向けて突出するとともに、底面１０ａに差し込まれる。これにより底面１０ａ（フタ底部１２ａ）が破断して、図９（ｄ）に示すように、底面１０ａに穴４０が形成されて、アンプル１が開封される。穴４０は、消火剤Ｅを排出させるための排出口として使用される。この際、ピン１において基端部２１が第２パーツ３０の上面３０Ｕに当接すると、第１パーツ２０と第２パーツ３０との相対的な移動が停止する。このため、ピン２は、先端部２３が第２パーツ３０から所定長さ突出した状態となっている。アンプル１に穴４０が形成された後、ユーザーは、凹部１０からピン２を取り出す。
【００４６】
以上説明した手順によって、アンプル１には穴４０が開けられる。穴４０は、凹部１０の側面１０ｂに囲まれている。
【００４７】
図１０は、アンプル１から消火剤Ｅが排出される状態を示す要部断面図である。アンプル１に穴４０が形成された後、ユーザーは、アンプル１を持ち上げて、アンプル１を傾けたり逆さにしたりする。これにより、図１０に示すように、穴４０を介してアンプル１から消火剤Ｅが排出される。なお、図１０は、アンプル１がほぼ水平方向に傾けられた状態で消火剤Ｅが穴４０から排出される状態について表している。本実施形態では、凹部１０は円筒部１１ｄの内側に形成されている。このため、穴４０から消火剤Ｅが排出される際、円筒部１１ｄは注ぎ口のように機能する。
【００４８】
以上説明した消火器１００によれば、ピン２をアンプル１の凹部１０の底面１０ａに向けて押し込むことで容易かつ確実に消火剤Ｅを排出するための穴４０を形成することができる。そして、この際、ピン２が凹部１０に嵌め込まれることにより、先端部２３を底面１０ａに向けた状態で第１パーツ２０を底面１０ａに向けて進行させることができる。これにより、未使用の投てき型の消火器１００から消火剤Ｅを容易に抜き取って消火器１００を廃棄することができる。また、消火剤Ｅが排出される穴４０は凹部１０の側面１０ｂに囲まれており、消火剤Ｅの排出方向は側面１０ｂにより規制されるので、消火剤Ｅを排出させる際に消火剤Ｅが広範囲に拡散するように飛散することを抑制することができる。
【００４９】
また、消火器１００の構成によれば、アンプル１に穴４０を形成して、穴４０を介して消火剤Ｅを適量取り出しておき、これを火元にかけたり、消火剤Ｅを穴４０から排出させながら消火剤Ｅを火元にかけたりして使用することも可能となり、例えば、家庭の庭先で花火をしたときの消火の際など、火事以外の場面において簡単かつ安全に消火したいときなどでも使用することができる。
【００５０】
また、ピン２は、凹部１０に挿し込まれるまでの間は、先端部２３は第２パーツ３０の内部に格納された状態となっているとともに、アンプル１に穴４０を開ける瞬間に第２パーツ３０から先端方向に飛び出る構造となっており、ユーザーにとって安全である。
【００５１】
また、容器本体１１及びフタ１２はいずれもほぼ透明でありかつ消火剤Ｅは有色の液体であるので、アンプル１に封入されている消火剤Ｅをアンプル１の外部から視認可能とすることができる。また、アンプル１を水平面に載置した場合、凹部１０の下方に空隙部分５０が形成されるので、アンプル１に穴４０を開ける際にピン２の先端部２３が勢いよくアンプル１を突き刺す場合や、消火剤Ｅがアンプル１の外部の気圧よりも高圧で封入されている場合などであっても、穴４０が開いた瞬間に穴４０から消火剤Ｅが勢いよく噴出することを防止できる。
【００５２】
以上、実施形態について説明したが、本発明は、上述した説明に限定されるものではなく、本発明の要旨を逸脱しない範囲において種々の変更が可能である。また、上記の実施形態で説明した要件の１つ以上は、省略されることがある。そのような変更または改良、省略した形態も本発明の技術的範囲に含まれる。
【符号の説明】
【００５３】
Ｅ…消火剤  
１…アンプル
２…ピン
１０…凹部
１０ａ…底面
２０…第１パーツ
２３…先端部（針）
２３ａ…先端
３０…第２パーツ
４０…穴（排出口）
１００…消火器
【図１】
2018130417.tif 000003
【図２】
2018130417.tif 000004
【図３】
2018130417.tif 000005
【図４】
2018130417.tif 000006
【図５】
2018130417.tif 000007
【図６】
2018130417.tif 000008
【図７】
2018130417.tif 000009
【図８】
2018130417.tif 000010
【図９】
2018130417.tif 000011
【図１０】
2018130417.tif 000012